(57)【要約】      （修正有）【課題】主流型ジグヘッドとは異なる選択肢として，疑似餌のフォールスピードを，より低速にすることが容易なジグヘッドを提供する。【解決手段】ジグヘッド１は，フック２と，フック２に装着された金属製シンカー３と，を備えている。金属製シンカー３は，硬化性プラスチック素材からなる被覆部材４によって被覆されている。硬化性プラスチック素材からなる被覆部材４の上面には，スリット６が形成されている。そして，フック２に装着された金属製シンカー３を当該スリット６にあてがい，そのまま押し込むことにより，フック２に装着された金属製シンカー３が，硬化性プラスチック素材からなる被覆部材４によって被覆された状態となる。また，フック２を右手で摘まんだ状態で，被覆部材４を，右手でスリット６の反対側に引っ張ることにより，フック２に装着された金属製シンカー３から被覆部材４を外すことができる。【選択図】図２
2018061463.tif 000002
【特許請求の範囲】
【請求項１】
フックと，前記フックに装着された金属製シンカーと，を備えたジグヘッドであって，
前記金属製シンカーが，非金属製素材からなる被覆部材によって被覆されていることを特徴とするジグヘッド。
【請求項２】
前記被覆部材が，硬化性プラスチック素材からなることを特徴とする請求項１に記載のジグヘッド。
【請求項３】
前記被覆部材が，前記金属製シンカーに可逆的に取り付け可能となっていることを特徴とする請求項１又は２に記載のジグヘッド。
【請求項４】
前記金属製シンカーならびに前記被覆部材が，釣鐘状に形成されていることを特徴とする請求項１から３のいずれか１項に記載のジグヘッド。
【請求項５】
前記被覆部材の容量が，前記金属製シンカーの容量の１．０〜６．０倍であることを特徴とする請求項１から４のいずれか１項に記載のジグヘッド。
【請求項６】
前記金属製シンカーの重量が０．１〜１．０ｇ，前記被覆部材の重量が０．１〜１．０ｇであることを特徴とする請求項１から５のいずれか１項に記載のジグヘッド。
【発明の詳細な説明】
【技術分野】
【０００１】
本発明は，釣りに用いられるジグヘッドに関する。
【背景技術】
【０００２】
メバルやアジなどの釣りの際，ジグヘッドを用いて釣りが行われることがある。
ジグヘッドは，針となるフックの一端に，重りとしてのシンカーが装着されており，フック部分にワームを取り付けることで，疑似餌としての機能を果たすものである。
このジグヘッドとして種々の技術が開発されているが（特許文献１），現在，主流となっているのは，一定の大きさ又は形状の金属製シンカーが，フックの一端に装着されているジグヘッドである（非特許文献１，２。以下，「主流型ジグヘッド」という）。
【先行技術文献】
【特許文献】
【０００３】
【特許文献１】特開２００７−２２２０７１号公報
【非特許文献】
【０００４】
【非特許文献１】グローブライド株式会社，製品紹介ページ，［online］，［平成２８年１０月４日検索］，インターネッ（URL：http://www.daiwa.com/jp/fishing/item/terminal_tackle/lure_te/tggekka_swljighead_ss/index.html）
【非特許文献２】グローブライド株式会社，製品紹介ページ，［online］，［平成２８年１０月４日検索］，インターネッ（URL：http://www.daiwa.com/jp/fishing/item/terminal_tackle/lure_te/flatjunkie_jighead_ss/index.html）
【発明の概要】
【発明が解決しようとする課題】
【０００５】
主流型ジグヘッドは，シンカーの重さの異なるジグヘッドを使い分け，流れの速さや対象となる魚の大きさなど，様々な状況に対応しうる点において有用である。しかるに，かかる主流型ジグヘッドにも課題があることを発明者は発見した。
【０００６】
すなわち，主流型ジグヘッドは，大きさならびに重さの異なる金属製のシンカー部材を用いて，様々な状況に対応しうるものである。そのため，疑似餌全体として見た場合，局所的に比較的大きな金属製部材として形成されているシンカー部材が極端に重くなるとともに，比重も水よりもはるかに重いものとなってしまい，結果として，フリーフォールを行う際に，比較的速いフォールスピードとなってしまう。
【０００７】
また，主流型ジグヘッドにおいては，シンカー部材の大きさや重さだけではなく，さらに形状にまで工夫を加え，水との抵抗を増すことにより，疑似餌としてのフォールスピードを遅くするように設計されたものも存在する。
しかしながら，かかる技術であっても，結局は，シンカー部材として金属製素材を用いていることから，比重が水よりもはるかに重いものとなっており，フォールスピードの低下も限定的である。
【０００８】
これらのように主流型ジグヘッドにおいては，結局，テンションフォールを行わなければ，フォールスピードのコントロールは難しく，また，より高度な技術を要するものである。
釣りを行う場合，状況によっては，フォールスピードを落とした方が釣果を得やすい場合がある。しかしながら，主流型ジグヘッドは，このような状況に対して，対応が困難もしくは極めて限定的な対応しかできない点において課題を有するものである。
【０００９】
上記事情を背景として，本発明では，主流型ジグヘッドとは異なる選択肢として，疑似餌のフォールスピードを，より低速にすることが容易なジグヘッドの開発を課題とする。
【課題を解決するための手段】
【００１０】
発明者は，鋭意研究の結果，金属製のシンカー部分を，非金属製素材からなる被覆部材によって被覆して一体化したシンカー部材とすることで，重さと大きさを調整し，ひいてはシンカー部材としての比重を軽くすることにより，フォールスピードをより低速にすることに着想し，発明を完成させたものである。
【００１１】
本発明は，以下の構成からなる。
本発明の第一の構成は，フックと，前記フックに装着された金属製シンカーと，を備えたジグヘッドであって，
前記金属製シンカーが，非金属製素材からなる被覆部材によって被覆されていることを特徴とするジグヘッドである。
【００１２】
本発明の第二の構成は，前記被覆部材が，硬化性プラスチック素材からなることを特徴とする第一の構成に記載のジグヘッドである。
本発明の第三の構成は，前記被覆部材が，前記金属製シンカーに可逆的に取り付け可能となっていることを特徴とする第一又は第二の構成に記載のジグヘッドである。
本発明の第四の構成は，前記金属製シンカーならびに前記被覆部材が，釣鐘状に形成されていることを特徴とする第一から第三の構成に記載のジグヘッドである。
本発明の第五の構成は，前記被覆部材の容量が，前記金属製シンカーの容量の１．０〜６．０倍であることを特徴とする第一から第四の構成に記載のジグヘッドである。
本発明の第六の構成は，前記金属製シンカーの重量が０．１〜１．０ｇ，前記被覆部材の重量が０．１〜１．０ｇであることを特徴とする第一から第五の構成に記載のジグヘッドである。
【発明の効果】
【００１３】
本発明により，主流型ジグヘッドとは異なる選択肢として，疑似餌のフォールスピードを，より低速にすることが容易なジグヘッドの提供が可能となった。
【図面の簡単な説明】
【００１４】
【図１】本発明の一実施の形態におけるジグヘッドを示す前方（手前）斜め上方から見た平面図
【図２】本発明の一実施の形態におけるジグヘッドを示す斜視図
【図３】本発明の一実施の形態におけるジグヘッドを示す右側斜め上方から見た平面図
【図４】本発明の一実施の形態におけるジグヘッドを示す左側斜め上方から見た平面図
【発明を実施するための形態】
【００１５】
以下，好適な実施の形態を用いて本発明をさらに具体的に説明する。但し，下記の実施の形態は本発明を具現化した例に過ぎず，本発明はこれに限定されるものではない。
【００１６】
＜＜Ｉ．本発明の要旨＞＞
本発明のジグヘッドは，金属よりも比重が軽く，かつ，水よりも比重が重い部材をシンカー部材として用いることにより，従来のジグヘッドよりも，より低速なフォールスピードを達成しうることを発明の要旨とする。
すなわち，本発明のジグヘッドは，このようなシンカー部材の一つの態様として，非金属製素材からなる被覆部材によって被覆した金属製シンカーを用いるものである。
【００１７】
このようなシンカー部材を用いることにより，疑似餌全体としての引き抵抗を増加させることが可能となり，釣り初心者であっても疑似餌の取扱いを容易にすることが可能となる。
すなわち，ジグヘッドは，フォールスピードの違いによって使い分けられるものであるが，より軽いジグヘッドを使うことにより，水中におけるレンジキープがしやすくなる。結果として，魚がジグヘッドを見つける確率を上げることができ，釣果がより得やすくなる。
しかるに，慣れてない初心者が従来の主流型ジグヘッドを用いた場合，ジグヘッドが軽くなることにより，シンカー部材の体積が小さくなってしまい，引き抵抗も体積に比例して小さくなってしまう。結果として，初心者は，このような主流型ジグヘッドを用いた疑似餌の存在を適切に把握できず，最適なレンジキープができなくなり，釣果も得にくくなってしまいがちである。
このような場合であっても本発明のジグヘッドであれば，金属製シンカーを樹脂で覆うことにより，全体の体積とともに，引き抵抗を増加させることが可能となるため，初心者であっても，疑似餌の存在をより顕著に把握することが可能となり，最適なレンジキープがしやすくなり，釣果を得やすくなる。
【００１８】
本発明のジグヘッドは，フックと，前記フックに装着された金属製シンカーと，を備えたジグヘッドであって，前記金属製シンカーが，非金属製素材からなる被覆部材によって被覆されていることを特徴とする。
非金属製素材からなる被覆部材は，金属製シンカーよりも比重が軽いことから，被覆部材によって被覆されたシンカー全体としての比重を軽くすることができる。そして，これにより，フリーフォールを行った際に，より低速なフォールスピードを達成することが可能となる。
加えて，金属製シンカーを，非金属製素材からなる被覆部材によって被覆することで，シンカー全体としての重量が嵩上げされ，適度に疑似餌を飛ばすことが可能となる。
【００１９】
本発明において，フックは，金属製シンカーが装着されているとともに，釣針としての役割を果たす。フックは，かかる役割を果たす限り，特に限定されるものではなく，種々の形状ないし構成のものを採用することができる。
フックは，典型的には，図１，図２に示すように，略Ｊの字状のものとすればよく，また，当然のことながら，チモトには，ラインやリーダーを連結するためのフックアイ（連結リング）を備えることができる。
【００２０】
本発明において，金属製シンカーは，非金属製素材からなる被覆部材によって被覆されつつ，これと合わせた全体（以下，非金属製素材からなる被覆部材によって被覆された金属製シンカーを，「シンカー全体」と略する）として重りの役割を果たす。金属製シンカーは，かかる役割を果たす限り，特に限定されるものではなく，種々の形状ないし重量を有する金属製素材のものを用いることができる。
金属製シンカーは，典型的には，図１，図２に示すように，鉛からなる釣鐘状のものとすればよい。
【００２１】
本発明において，非金属製素材からなる被覆部材は，金属製シンカーを被覆しつつ，シンカー全体として重りの役割を果たす。非金属製素材からなる被覆部材は，かかる役割を果たす限り，特に限定されるものではなく，種々の形状ないし重量を有する非金属製素材のものを用いることができる。
また，非金属製素材からなる被覆部材は，かかる構成により，シンカー全体としての比重を調整するとともに，金属製シンカーのフックへの装着を安定化させることができる。
すなわち，例えば，特許文献１や主流型ジグヘッドの一部では，フックに対してシンカーが装着可能となっているものがある。かかる場合，フック，シンカー，ともに金属製素材から形成されているが，いずれの部材も固く，柔軟性がないため，フック部分にシンカーを装着するための何らかの形状の工夫が必要である。
これに対し，本発明においては，金属製シンカーを，非金属製素材からなる被覆部材によって被覆することにより，金属製シンカーが外れにくくなっており，フックやシンカー部材の形状がシンプルであっても，ジグヘッドとして安定に使用することが可能となる。加えて，これにより，フックやシンカー部材の加工をシンプルにすることが可能となるので，ジグヘッドとしての経済性を高める効果が期待できる。
【００２２】
非金属製素材からなる被覆部材は，金属製シンカーを被覆しうる限り，特に限定されるものではなく，種々の素材のものを用いることができる。非金属製素材としては，典型的には，硬化性プラスチック素材を用いることができる。
これにより，被覆部材の形状の加工が簡単にできるとともに，金属製シンカーを被覆することも比較的簡単にできることから，本発明のジグヘッドの機能性を向上させることができるという効果が得られる。
【００２３】
非金属製素材については，金属製シンカーの重量や比重，非金属製素材として用いる素材や形状など，種々の観点から，適宜，最適な形状，重量，素材のものを選択することが可能である。
被覆部材の容量は，典型的には，金属製シンカーの容量の１．０〜６．０倍とすればよい。また，金属製シンカーの重量を０．１〜１．０ｇ，被覆部材の重量を０．１〜１．０ｇとすればよい。
【００２４】
＜＜II．実施の形態＞＞
次に，本発明の一実施の形態におけるジグヘッドの構成について，図１から図４を参照しながら説明する。
【００２５】
図１は，本発明の一実施の形態におけるジグヘッドを示す前方（手前）斜め上方から見た平面図，図２は，当該ジグヘッドを示す斜視図，図３は，当該ジグヘッドを示す右側斜め上方から見た平面図，図４は，当該ジグヘッドを示す左側斜め上方から見た平面図である。
【００２６】
図１から図４に示すように，本実施の形態のジグヘッド１は，フック２と，フック２に装着された金属製シンカー３と，を備えている。
本実施の形態のジグヘッド１において，金属製シンカー３は，非金属製素材からなる被覆部材４によって被覆されている。
【００２７】
ここで，フック２は，略Ｊの字状の部材として構成されており，チモトには，ラインやリーダーを連結するためのフックアイ（連結リング）５を備えている。また，金属製シンカー３は，鉛からなり，釣鐘状に形成されている。そして，この金属製シンカー３は，フック２のフックアイ５の近傍に装着されている。さらに，被覆部材４は，硬化性プラスチック素材からなり，金属製シンカー３と同様に釣鐘状に形成されている。
【００２８】
本実施の形態のジグヘッド１の構成によれば，以下のような効果が得られる。
すなわち，硬化性プラスチック素材からなる被覆部材４は，金属製シンカー３よりも比重が軽いことから，被覆部材４によって被覆されたシンカー全体としての比重を軽くすることができる。そして，これにより，フリーフォールを行った際に，より低速なフォールスピードを達成することが可能となる。加えて，金属製シンカー３を，硬化性プラスチック素材からなる被覆部材４によって被覆することで，シンカー全体としての重量が嵩上げされ，適度に疑似餌を飛ばすことが可能となる。
また，金属製シンカー３を硬化性プラスチック素材からなる被覆部材４によって被覆することにより，全体の体積とともに，引き抵抗を増加させることが可能となるため，初心者であっても，疑似餌の存在をより顕著に把握することが可能となり，最適なレンジキープがしやすくなり，釣果を得やすくなる。さらに，このように金属製シンカー３を硬化性プラスチック素材からなる被覆部材４によって被覆することにより，金属製シンカー３が外れにくくなり，フック２や金属製シンカー３の形状がシンプルであっても，ジグヘッド１として安定に使用することが可能となる。加えて，これにより，フック２やシンカー部材の加工をシンプルにすることが可能となるので，ジグヘッド１としての経済性を高める効果が期待できる。
また，非金属製素材として硬化性プラスチック素材を用いることにより，被覆部材４の形状の加工が簡単にできるとともに，金属製シンカー３を被覆することも比較的簡単にできることから，本実施の形態のジグヘッド１の機能性を向上させることができるという効果が得られる。
【００２９】
硬化性プラスチック素材からなる被覆部材４の上面には，スリット（裂け目）６が形成されている。そして，フック２に装着された金属製シンカー３を当該スリット６にあてがい，そのまま押し込むことにより，フック２に装着された金属製シンカー３が，硬化性プラスチック素材からなる被覆部材４によって被覆された状態となる。また，フック２を左手で摘まんだ状態で，被覆部材４を，右手でスリット６の反対側に引っ張ることにより，フック２に装着された金属製シンカー３から被覆部材４を外すことができる。すなわち，被覆部材４は，フック２に装着された金属製シンカー３に可逆的に取り付け可能となっている。
この場合，金属製シンカー３は，フック２とともに，硬化性プラスチック素材からなる被覆部材４によってしっかりと挟持され，外れにくい状態となる。その結果，上記したように，フック２や金属製シンカー３の形状がシンプルであっても，ジグヘッド１として安定に使用することが可能となる。
【００３０】
なお，本実施の形態においては，被覆部材４が硬化性プラスチック素材からなる場合を例に挙げて説明したが，本発明は必ずしもこのような構成に限定されるものではない。上記したように，被覆部材４の素材（非金属製素材）については，金属製シンカー３の重量や比重，非金属製素材として用いる素材や形状など，種々の観点から，適宜，最適な形状，重量，素材のものを選択すればよい。
【００３１】
また，本実施の形態においては，金属製シンカー３ならびに被覆部材４が，釣鐘状に形成されている場合を例に挙げて説明したが，本発明は必ずしもこのような構成に限定されるものではない。金属製シンカー３ならびに被覆部材４としては，種々の形状のものを用いることができる。
【符号の説明】
【００３２】
１  ジグヘッド
２  フック
３  金属製シンカー
４  硬化性プラスチック素材からなる被覆部材
５  フックアイ（連結リング）
６  スリット（裂け目）
【図１】
2018061463.tif 000003
【図２】
2018061463.tif 000004
【図３】
2018061463.tif 000005
【図４】
2018061463.tif 000006